(57)【要約】【課題】汚れた拭取部材をその場で短時間で清浄な拭取部材にすることが可能であり、清掃の効率を向上させる清掃用具を提供する。【解決手段】清掃用具は、四角筒から１つの側面が取り除かれた形状で、取り除かれた側面に隣接する第２垂直部分１４ａが自身の側稜を中心軸として回動可能である保持枠１０と、保持枠１０の内側の空間にあって、保持枠１０の残存側面と対向し且つ平行な巻き付け面を４面有する四角柱状の芯と、芯の巻き付け面の全面を覆うように巻きつけられ、保持枠１０と芯とに挟み込まれて保持されるシート状の拭取部材５２と、保持枠１０に取り付けられ、側稜に垂直な方向に延在する把持柄７０とを備える。【選択図】図５
2015100522.tif 000002
【特許請求の範囲】
【請求項１】
多角筒から少なくとも１つの側面が取り除かれた形状で、取り除かれた前記側面に隣接する第１側面が該第１側面の側稜を中心軸として回動可能である保持枠と、
前記保持枠の内側の空間にあって、前記第１側面を含む前記保持枠の残存側面と対向し且つ前記残存側面のそれぞれと平行な複数の第２側面を有する多角柱状の芯と、
前記第２側面の全面を覆うように巻きつけられ、前記保持枠と前記芯とに挟まれて保持されるシート状の拭取部材と、
前記保持枠に取り付けられ、前記側稜に垂直な方向に延在する把持柄と、を備えた清掃用具。
【請求項２】
前記把持柄は、前記第１側面に取り付けられている請求項１に記載の清掃用具。
【請求項３】
前記保持枠は第１水平部分と第２水平部分の一部を重ねた状態で接合されて構成されており、前記第１水平部分と前記第２水平部分との重なり面積を変えることにより、前記保持枠の幅を変えることができる請求項１又は２に記載の清掃用具。
【請求項４】
前記拭取部材が、前記芯の長手方向の少なくとも一方の端部から延出した部分であるはみ出し部分を有している請求項１から３のいずれか一項に記載の清掃用具。
【発明の詳細な説明】
【技術分野】
【０００１】
本発明は、床面を清掃する清掃用具に関する。
【背景技術】
【０００２】
従来より、床面の拭き掃除には、塵や埃等の汚れを拭き取る清掃部と、清掃をする人が把持する把持柄とを具備する柄付きモップなどの清掃用具が用いられている。この清掃用具は、清掃者が把持柄の端部を握り、清掃部を床面に押し当てて滑らせながら床面を拭いていくもので、立ったまま清掃ができるものである。
【０００３】
特許文献１には、モップヘッド、及びローラーヘッドからなる先端アタッチメントと、複数の管を入れ子にし、管のつなぎ目にジョイントを取り付けて伸縮自在にした伸縮式柄と、凸部と凹部の組からなり、先端アタッチメント側と伸縮式柄側にそれぞれ設けられ、ワンタッチで該先端アタッチメントと該伸縮式柄を着脱するカプラーとを備えた清掃用具が開示されている。この清掃用具においては、モップヘッドのシート装着部にナイロン製のモップ取付シートを取付け、そのモップ取付シートに毛束モップや布モップを装着して使用する。
【先行技術文献】
【特許文献】
【０００４】
【特許文献１】特開２００３−０５２６０１号公報
【発明の概要】
【発明が解決しようとする課題】
【０００５】
しかし、特許文献１に記載の清掃用具の場合、床面と直接接触する毛束モップや布モップの部分（以下、モップと称する）は、拭き掃除を行うことにより汚れが付着して汚れてしまう。モップが汚れたまま床面の清掃を続けた場合には、床面の汚れを十分拭き取れないだけでなく、汚れていない床面にモップの汚れを再付着させてしまい、逆に汚れを拡散させてしまうおそれがある。そのため、モップが汚れると、清掃者はその都度モップを水洗いしたり、新しいモップに取り換えていた。しかし、モップの水洗いには絞り器付きのバケツが別途必要となり、又、新しいモップへの交換には交換用のモップを別途準備する必要がある。このように、モップをきれいにするには専用の用具が別途必要になると共に時間を要するので、清掃効率が低下していた。このように、清掃用具には更なる改善の余地があった。
【０００６】
上記問題に鑑み、本発明は、汚れた拭取部材をその場で短時間で清浄な拭取部材にすることが可能であり、清掃の効率を向上させる清掃用具を提供することを課題とする。
【課題を解決するための手段】
【０００７】
上記課題を解決するために、本発明に係る清掃用具の特徴構成は、多角筒から少なくとも１つの側面が取り除かれた形状で、取り除かれた前記側面に隣接する第１側面が該第１側面の側稜を中心軸として回動可能である保持枠と、前記保持枠の内側の空間にあって、前記第１側面を含む前記保持枠の残存側面と対向し且つ前記残存側面のそれぞれと平行な複数の第２側面を有する多角柱状の芯と、前記第２側面の全面を覆うように巻きつけられ、前記保持枠と前記芯とに挟まれて保持されるシート状の拭取部材と、前記保持枠に取り付けられ、前記側稜に垂直な方向に延在する把持柄と、を備えた点にある。
【０００８】
このような特徴構成とすれば、拭取部材は、芯の第２側面の全面を覆うように巻き付けられているので、床面と接して汚れを拭き取る面となり得る面は全ての第２側面に存在する。そのため、床面の清掃により拭取部材の１つの面が汚れたら、その場で、拭取部材が巻かれた芯を保持枠から取り外して回転させ、別の面が床面と接する向きにして保持枠に取り付ける。これにより、汚れていない清浄な面を使って清掃を継続することができる。これを繰り返すことにより、拭取部材自体を交換することなく、芯を回転させて芯の全ての第２側面上にある拭取部材を順に使用して清掃を継続することができるので、清掃の効率を向上させることができる。
【０００９】
本発明に係る清掃用具においては、前記把持柄は、前記第１側面に取り付けられていると好適である。
【００１０】
清掃用具を用いて清掃する際には、通常、把持柄を押して、すなわち保持枠を押して汚れを拭き取る。そのため、把持柄が第１側面に取り付けられていると、把持柄を押したときに第１側面には芯を挟み込む方向に力が作用するので、芯に巻き付けられた拭取部材はより強く保持枠に保持される。従って、清掃時に第１側面が開く方向に力が作用することがないので、保持枠による拭取部材の保持力を低下させることがなく、安定して清掃を行うことができる。
【００１１】
本発明に係る清掃用具においては、前記保持枠は第１水平部分と第２水平部分の一部を重ねた状態で接合されて構成されており、前記第１水平部分と前記第２水平部分との重なり面積を変えることにより、前記保持枠の幅を変えることができると好適である。
【００１２】
このような構成とすれば、床面と接触して汚れを拭き取る拭取部材の面の面積を変えて清掃を行うことができるので、床面や汚れの種類、及びそれらの状況、並びに清掃目的に応じて床面と接触する拭取部材の面積を変化させて清掃を行うことができる。
【００１３】
本発明に係る清掃用具においては、前記拭取部材が、前記芯の長手方向の少なくとも一方の端部から延出した部分であるはみ出し部分を有していると好適である。
【００１４】
このような構成とすれば、壁に沿って床面を清掃すると同時に、はみ出し部分により壁の下部にある幅木の汚れを拭き取ることができる。また、階段の清掃を行うときには、踏面の清掃と同時に蹴上の清掃をすることができる。このように、床面の清掃と同時に別の箇所の清掃を行うことができるので、さらに清掃の効率を向上させることができる。
【図面の簡単な説明】
【００１５】
【図１】本発明の第１実施形態に係る清掃用具の外観を表す斜視図である。
【図２】保持枠を表す分解斜視図である。
【図３】清掃部の保持枠への取り付け途中の状態を表す斜視図である。
【図４】清掃部の保持枠への取り付け途中の状態を表す斜視図である。
【図５】清掃部の保持枠への取り付けが完了した状態を表す斜視図である。
【図６】大きな清掃部を保持枠に取り付けた状態を表す斜視図である。
【図７】保持枠に錘を載せる過程を表す斜視図である。
【図８】本発明の第２実施形態に係る清掃用具の要部を表す斜視図である。
【図９】本発明の第３実施形態に係る清掃用具における清掃部を表す斜視図である。
【図１０】清掃部を保持枠に取り付けた状態を表す部分拡大斜視図である。
【図１１】本発明の第４実施形態に係る清掃用具における清掃部の保持枠への取り付け途中の状態を表す斜視図である。
【図１２】清掃部の保持枠への取り付けが完了した状態を表す斜視図である。
【発明を実施するための形態】
【００１６】
１．第１実施形態
以下、本発明の第１実施形態について、図面を用いて詳細に説明する。図１に示すように、本実施形態に係る清掃用具１は、保持枠１０と、清掃部５０と、把持柄７０とから構成されている。
【００１７】
保持枠１０は、金属、樹脂、又は木材からなり、四角筒の１つの側面が取り除かれて開口となった形状を有している。保持枠１０は、図２に示すように、互いに垂直な平板状の第１垂直部分１２ａと第１水平部分１２ｂとを有する第１保持部１２と、平板状の第２垂直部分１４ａと第２水平部分１４ｂとを蝶番１９により接合して形成した第２保持部１４とを組み合わせて構成されている。第２垂直部分１４ａは第１側面の一例である。
【００１８】
第１保持部１２と第２保持部１４との組み合わせは、第１水平部分１２ｂと第２水平部分１４ｂとを重ねた状態で、第１水平部分１２ｂと第２水平部分１４ｂに形成した貫通孔に皿ねじ１６を貫通させ、平ワッシャ１７を挿入して蝶ナット１８で螺合することにより実現されている。皿ねじ１６が貫通する孔として、第１水平部分１２ｂには皿モミ穴１２ｃが形成され、第２水平部分１４ｂには長円孔１４ｃが形成されている。これにより、第１水平部分１２ｂと第２水平部分１４ｂの重なり部分をＸ方向に変化させて重なり面積を変化させることが可能になり、保持枠１０で保持する清掃部５０のＸ方向の長さの変化に対応することができる。これにより、床面や汚れの種類、及びそれらの状況、並びに清掃目的に応じて清掃部５０のうち床面と接触して汚れを拭き取る清掃面５４の面積を変化させたり、拭取部材５２の材質や厚さを選択する等して清掃を行うことができる。図６に、図１、図５で示す清掃部５０よりも大きな断面積を有する清掃部５０を取り付けた状態を示す。なお、拭取部材５２の詳細については後述する。
【００１９】
第２水平部分１４ｂの中央には蝶番１９の開閉を固定するロック金具２２が第２水平部分１４ｂの平面上を回転可能に取り付けられている。また、第２垂直部分１４ａには、清掃時に清掃者が把持する把持柄７０が第２垂直部分１４ａに対して所定の角度で固定された状態で取り付けられている。清掃用具１を用いて清掃する際には、通常、把持柄７０を押して、すなわち保持枠１０を押して汚れを拭き取る。そのため、把持柄７０が第２垂直部分１４ａに取り付けられていると、把持柄７０を押したときに第２垂直部分１４ａには清掃部５０を挟み込む方向に力が作用するので、清掃部５０はより強く保持枠１０に保持される。従って、清掃時においても第２垂直部分１４ａが開く方向に力が作用することがないので、保持枠１０による清掃部５０の保持力を低下させることがなく、安定して清掃を行うことができる。
【００２０】
把持柄７０の軸心を保持枠１０の方向へ延長した仮想線は、清掃部５０を取り付けた状態での保持枠１０の重心かそれよりも清掃面５４に近いところを通る。これにより、清掃時に清掃部５０が回転する力を受けることないので、清掃面５４を安定して床面に垂直に押し付けることができ、床面の汚れを効率的に拭き取ることができる。
【００２１】
清掃部５０は、芯３０の４つの側面である巻き付け面３４にシート状の拭取部材５２を巻き付けたものである。芯３０は、保持枠１０の内側の空間に配置され、正四角柱状を有している。芯３０のＹ方向の長さは保持枠１０のＹ方向と同じ長さで、Ｘ方向とＺ方向の長さは保持枠１０のＺ方向の長さと同じかそれより長い。芯３０は、発泡ウレタン、発泡ポリエチレン、合成ゴム等の軽量で弾力性のある素材で構成されるのが望ましいが、これに限られるものではない。なお、巻き付け面３４は第２側面の一例である。
【００２２】
拭取部材５２には、雑巾や不繊布、ラーグ等の材質の違い、又、乾拭きと水拭きの違いに関係なく、清掃する床面や汚れの種類、及びそれらの状況、並びに清掃目的に応じて任意のものを使用することができる。図３、図４に示すように、使用する際には、巻き付け面３４の全面を覆うように拭取部材５２を芯３０に巻き付けて、清掃部５０を保持枠１０の内部空間に挿入する。上述したように第２垂直部分１４ａと第２水平部分１４ｂとは蝶番１９により接合されているので、図４に示すように、第２垂直部分１４ａを回動させて内部空間を大きくした状態で清掃部５０を挿入することができる。そして、図５に示すように、第２垂直部分１４ａを元の位置に戻して第１垂直部分１２ａと第２垂直部分１４ａとで清掃部５０を挟み込む。最後に、ロック金具２２の窪みを把持柄７０に引掛けて、第２水平部分１４ｂと把持柄７０の位置、すなわち第２水平部分１４ｂと第２垂直部分１４ａの位置を固定する。これにより、清掃部５０は保持枠１０に保持される。このとき、拭取部材５２の両端部が芯３０と保持枠１０との間で挟み込まれるように保持枠１０に取り付けると、清掃中に拭取部材５２の端部が捲れ上がることはない。清掃面５４は、保持枠１０のＺ方向の端部よりも外方に突出している。
【００２３】
拭取部材５２は、巻き付け面３４の全面を覆うように巻き付けられているので、清掃面５４となり得る面は全ての巻き付け面３４に存在する。そのため、床面の清掃により１つの清掃面５４が汚れたら、その場で、ロック金具２２を解除して清掃部５０を保持枠１０から取り外して回転させ、別の巻き付け面３４が清掃面５４となる向きにして保持枠１０に取り付ける。これにより、汚れていない清浄な清掃面５４を使って清掃を継続することができる。これを３回繰り返すことにより、拭取部材５２自体を交換することなく、清掃部５０を回転させて全ての巻き付け面３４上にある拭取部材５２を順に清掃面５４として使用して清掃を継続することができる。従って、清掃の効率を向上させることができる。
【００２４】
本実施形態においては、図７に示すように、皿ねじ１６及び蝶ナット１８に挿入可能な２つの孔を有する金属製の錘８０を保持枠１０の第２水平部分１４ｂの上に載せてもよい。これにより、清掃面５４の面圧を大きくすることができる。この構成は、特に汚れのひどい床面の清掃において有効である。
【００２５】
保持枠１０の材質が木材のときは、第１垂直部分１２ａ、第１水平部分１２ｂ、第２垂直部分１４ａ、第２水平部分１４ｂのそれぞれの内側の面に吸水性を有しないプラスチック等の材質からなる薄いシートをライナー２４として張り付けておくことが好ましい。これにより、水拭き清掃の場合であっても、保持枠１０が吸水しないので、保持枠１０の腐食を防ぐことができる。
【００２６】
２．第２実施形態
以下、本発明の第２実施形態に係る清掃用具１について、図面を用いて詳細に説明する。本実施形態においては、芯３０及び拭取部材５２のＹ方向の長さが保持枠１０よりも長くなっており、それ以外の構成は第１実施形態と同じである。
【００２７】
図８に示すように、芯３０は、保持枠１０のＹ方向長さに対して片側で最大約１０％はみ出しており、拭取部材５２は芯３０の端部よりさらに外側にはみ出している。拭取部材５２のうち芯３０から延出した部分であるはみ出し部分５６は、当該はみ出し部分５６が内側に折れ曲がった時に芯３０の底面全体を覆う程度の長さを有している。
【００２８】
本実施形態に係る清掃用具１においては、はみ出し部分５６は芯３０に巻き付けられていないので、この状態で、壁に沿って床面を清掃すると、はみ出し部分５６が芯３０の底面を覆いつつ壁の下部にある幅木と接触するので、床面の汚れと同時に幅木の汚れを拭き取ることができる。また、階段の踏面を清掃しているときには、踏面の汚れと同時に、芯３０の底面を覆ったはみ出し部分５６により蹴上の汚れを拭き取ることができる。このように、拭取部材５２がはみ出し部分５６を有していると、床面や踏面の清掃と同時に幅木や蹴上の清掃をすることができるので、さらに清掃の効率を向上させることができる。なお、図８においては、はみ出し部分５６は保持枠１０の両側にあるが、いずれか片側にのみあってもよい。また、芯３０の長さは保持枠１０のＹ方向の長さと同じで、拭取部材５２だけが保持枠１０（芯３０）からはみ出してはみ出し部分５６を構成してもよい。
【００２９】
３．第３実施形態
以下、本発明の第３実施形態に係る清掃用具１について、図面を用いて詳細に説明する。本実施形態においては、異なる４種類の拭取部材５２が１つの芯３０に取り付けられており、それ以外の構成は第１実施形態と同じである。
【００３０】
これまでの実施形態では、拭取部材５２の端部を保持枠１０と芯３０の間で保持していたが、本実施形態においては、図９に示すように、芯３０の４つの側稜に切欠き３２がそれぞれ形成されており、拭取部材５２の両端部を切欠き３２に挿入することにより拭取部材５２を芯３０に固定している。清掃部５０をこのような構成にすることにより、図１０に示すように、最大で芯３０の４つの側面にそれぞれ異なる４種類の拭取部材５２を取り付けることができる。これにより、一回の清掃で、床面や汚れの種類、及びそれらの状況、並びに清掃目的に応じて異なった種類の拭取部材５２を使用する必要がある場合でも、清掃用具１自体や清掃部５０全体を交換することなく、その場で、清掃部５０を回転させて適当な拭取部材５２を清掃面５４として使用することにより清掃を継続することができる。従って、清掃の効率を大幅に向上させることができる。
【００３１】
本実施形態では４種類の拭取部材５２を使用したが、２種類又は３種類の拭取部材５２を使用してもよい。また、第１、第２実施形態においても、芯３０の巻き付け面３４の全面を覆うように巻き付けた１枚の拭取部材５２の端部をいずれかの切欠き３２に挿入することにより、拭取部材５２を芯３０に固定させるようにしてもよい。
【００３２】
第１〜第３実施形態においては、第２垂直部分１４ａと第２水平部分１４ｂの接合に蝶番１９を使用し、ロック金具２２により蝶番１９の開閉、すなわち第２水平部分１４ｂに対する第２垂直部分１４ａの回動が発生しないように固定したがこれだけに限られるものではない。蝶番１９の替わりに閉じ方向にばね力が働いて清掃部５０を保持するスプリング蝶番や、任意の角度で蝶番を固定できるトルク蝶番を用いてもよい。これらを用いることにより、ロック金具２２を使うことなく、保持枠１０は清掃部５０を保持することができる。
【００３３】
第１〜第３実施形態においては、第１水平部分１２ｂに対して第２水平部分１４ｂがＺ方向で上側になるように両者が重ねられていたが、これに限られるものではなく、第１水平部分１２ｂに対して第２水平部分１４ｂがＺ方向で下側になるように両者が重ねられてもよい。この場合は、第１水平部分１２ｂに長円孔１４ｃが設けられ、第２水平部分１４ｂに皿モミ穴１２ｃが設けられる。
【００３４】
４．第４実施形態
以下、本発明の第４実施形態に係る清掃用具１について、図面を用いて詳細に説明する。本実施形態においては、図１１に示すように、保持枠１０が第１保持部１２と第２保持部１４とに分かれておらず一体化されており、蝶番１９及びロック金具２２が備えられていない。さらに、保持枠１０の対向する垂直部分の内側に、発泡ウレタン、発泡ポリエチレン等の軽量で弾性力のある素材からなるライナー２４が貼り付けられている。それら以外の構成は第１実施形態と同じである。
【００３５】
清掃用具１においては、図１２に示すように、ライナー２４が弾性変形することにより、保持枠１０は清掃部５０を保持する。保持枠１０のＸ方向の長さは変化しないが、ライナー２４のＸ方向の弾性変形の程度が変化することにより、保持枠１０はＸ方向の長さが異なる清掃部５０を保持することができる。
【００３６】
上記各実施形態においては、芯３０は断面が正方形の正四角柱状であったが、これは巻き付け面３４の全面を清掃面５４として使用するためである。もし、巻き付け面３４の全面を清掃面５４として使用せずに、２面だけを清掃面５４として使用する場合には、芯３０は断面が長方形の四角柱状であってもよい。
【００３７】
上記各実施形態においては、芯３０を四角柱状にし、保持枠１０もそれに合わせた四角筒状にしたが、これだけに限られるものではない。芯３０と保持枠１０の各側面同士が対向し且つ平行になるように構成されている限り、保持枠１０と芯３０のＸＺ平面に平行な断面形状は、三角形でもよいし、五角形以上の多角形でもよい。また、断面形状が四角形以上の場合、連続する複数の側面を取除いて保持枠１０を構成してもよい。
【００３８】
上記各実施形態においては、床面の汚れを拭き取る目的のみを説明してきたが、床面に消毒剤やワックス等の液剤を塗布する際にも清掃用具１を使用することができる。その際、芯３０に発泡素材を用いると、その内部に液剤を含ませることができるので、その状態で拭取部材５２を巻き付け面３４の全面を覆うように巻き付けると、芯３０から拭取部材５２へと液剤が滲み出し、拭取部材５２への液剤の供給を継続して行うことができる。これにより、拭取部材５２に外部から液剤を含ませることなく、床面への液剤の塗布を継続して行うことができる。
【００３９】
上記各実施形態で説明した構成は可能な限り組み合わせることができる。
【産業上の利用可能性】
【００４０】
本発明は、床面を清掃する清掃用具に利用することが可能である。
【符号の説明】
【００４１】
１          清掃用具
１０        保持枠
１２ｂ      第１水平部分
１４ａ      第２垂直部分（第１側面）
１４ｂ      第２水平部分
３０        芯
３４        巻き付け面（第２側面）
５２        拭取部材
５６        はみ出し部分
７０        把持柄
【図１】
2015100522.tif 000003
【図２】
2015100522.tif 000004
【図３】
2015100522.tif 000005
【図４】
2015100522.tif 000006
【図５】
2015100522.tif 000007
【図６】
2015100522.tif 000008
【図７】
2015100522.tif 000009
【図８】
2015100522.tif 000010
【図９】
2015100522.tif 000011
【図１０】
2015100522.tif 000012
【図１１】
2015100522.tif 000013
【図１２】
2015100522.tif 000014